(57)【要約】【課題】  広視野の潜水用ゴーグルの提供。【解決手段】  レンズの正面、側部のレンズ結合片に、単辺或いは両辺に塗布或いは接合の方式で弾性と厚さを具えた媒介物が接着され、側部レンズの一端がフレームに結合された後、正面レンズがその結合辺で側部レンズの結合辺と接合され、接顔パッドがレンズに組み合わされる時、正面レンズが側部レンズに圧着されて密着止水の構造が形成され、正面、側部レンズが分離した構造により、レンズの破裂、磨損時に交換する時、及び近視レンズに交換する時、非常に便利であり、専門家でなくとも交換が行なえ、運搬時に平らに重ねることができ、体積を減らして包装でき、運搬時に手を傷つけにくいものとされている。【選択図】        図１
0003104269.tif 000002
【実用新案登録請求の範囲】
【請求項１】
フレーム、接顔パッド、レンズ及びリムで構成され、そのうち接顔パッドがフレーム内側に設置され、レンズが接顔パッドのレンズフレーム内に設置され、リムがレンズの周囲に嵌合され、レンズが正面レンズと側部レンズで組成された広視野の潜水用ゴーグルにおいて、
正面レンズと側部レンズの結合辺に一層の弾性と厚さを具えた媒介物が塗布され、フレーム側辺に嵌め溝が設けられ、該嵌め溝に側部レンズの一端が嵌め込まれ、正面レンズの結合辺と側部レンズの結合辺が当接させられ、リムが正面レンズと側部レンズを包囲し、正面レンズが側部レンズを圧迫し、並びに圧着により密着止水状態を形成することを特徴とする、広視野の潜水用ゴーグル。
【請求項２】
請求項１記載の広視野の潜水用ゴーグルにおいて、リムが正面リムと側部リムが嵌挿されてなり、正面リムと側部リムに設けられた係止ブロックがフレームの係止溝内に位置決めされ、側部リムが側部レンズの一端を保持することを特徴とする、広視野の潜水用ゴーグル。
【請求項３】
請求項１記載の広視野の潜水用ゴーグルにおいて、正面レンズと側部レンズの結合辺に単辺の方式で媒介物が塗布されたことを特徴とする、広視野の潜水用ゴーグル。
【請求項４】
請求項１記載の広視野の潜水用ゴーグルにおいて、正面レンズと側部レンズの結合辺に両辺の方式で媒介物が塗布されたことを特徴とする、広視野の潜水用ゴーグル。
【請求項５】
請求項１記載の広視野の潜水用ゴーグルにおいて、正面レンズと側部レンズの結合辺に貼り合わせの方式で媒介物が結合されたことを特徴とする、広視野の潜水用ゴーグル。
【請求項６】
請求項１記載の広視野の潜水用ゴーグルにおいて、フレームの嵌め溝が一体成形により形成されたことを特徴とする、広視野の潜水用ゴーグル。
【請求項７】
請求項１記載の広視野の潜水用ゴーグルにおいて、フレームの嵌め溝が組み付け方式で設置されたことを特徴とする、広視野の潜水用ゴーグル。
【請求項８】
請求項１記載の広視野の潜水用ゴーグルにおいて、該潜水用ゴーグルが単一レンズの潜水用ゴーグルとされ、左右のレンズ内縁の結合辺の単辺に媒介物が塗布されたことを特徴とする、広視野の潜水用ゴーグル。
【請求項９】
請求項１記載の広視野の潜水用ゴーグルにおいて、該潜水用ゴーグルが単一レンズの潜水用ゴーグルとされ、左右のレンズ内縁の結合辺の両辺に媒介物が塗布されたことを特徴とする、広視野の潜水用ゴーグル。
【考案の詳細な説明】
【技術分野】
【０００１】
本考案は広視野の潜水用ゴーグルに係り、特に、潜水用ゴーグルの正面、側部レンズが非接合の方式で結合され、ゆえにレンズの破裂、磨損或いは近視レンズに交換する時、処理が容易で迅速に行なえ、正面、側部レンズが未接合であるため、組立前に重ねて運搬でき、場所を取らず、運搬時に手を傷つけにくい、広視野の潜水用ゴーグルに関する。
【背景技術】
【０００２】
ダイバーにとって、広視野の潜水用ゴーグルは広い視野角度を提供するため広く受け入れられ、周知の広視野の潜水用ゴーグルには、例えば、特許文献１、２がある。前者は正面レンズと側部レンズを接着剤で結合し、後者は正面、側部レンズを軟性シールパッドで接合している。このような接合方式で結合された正面、側部レンズは以下のような欠点がある。
１．接合時に工具を使用し及び専門の人が作業を行なわねばならない。
２．接合後に接着剤が乾燥（約６〜８時間）してからでなければ組立を行なえず、生産速度が下がり、大量生産できず、製造コストがこのために増加する。
３．接合後に立体のレンズが形成され、非常に場所をとり、ゴーグル組立過程で手指を傷つけやすい。
４．接合後の立体レンズを運搬する時、体積を縮小できず、包装体積が増し且つ運賃が高くなる。
５．レンズの破裂、磨損が発生したり或いは近視レンズに交換したい時、一般の販売店では処理できず、工場に送り専門の作業員により交換しなければならず、面倒で且つ手間がかかる。
【０００３】
ゆえに、周知の製品の欠点を改善した広視野の潜水用ゴーグルが求められている。
【０００４】
【特許文献１】台湾特許公報公告第４２８５７６号明細書
【特許文献２】台湾特許公報公告第５７３６６５号明細書
【考案の開示】
【考案が解決しようとする課題】
【０００５】
本考案の主要な目的は、一種の広視野の潜水用ゴーグルを提供することにあり、それは潜水用ゴーグルの正面、側部レンズの結合辺（単辺或いは両辺）に弾性と厚さを具えた媒介物が塗布或いは貼り合わされ、保護パッドが正面レンズに固定され、正面レンズが側部レンズに圧着され、接着剤による接合の方式を省略し、圧着により密着止水の構造が形成され、ゆえに、レンズの破裂、磨損が生じたり或いは近視レンズに交換する時、専門家でなくとも簡単、迅速に交換が行なえ、組立が簡便で、極めて産業上の利用価値を有するものとする。
【０００６】
本考案のもう一つの目的は、一種の広視野の潜水用ゴーグルを提供することにあり、それは、正面、側部レンズが接着された分解不能の構造でなく、ゆえに運搬途中で、レンズを平らに重ねる方式で包装でき、体積を減らし、包装に便利であり、運搬過程で手を傷つけることがないものとする。
【課題を解決するための手段】
【０００７】
請求項１の考案は、フレーム、接顔パッド、レンズ及びリムで構成され、そのうち接顔パッドがフレーム内側に設置され、レンズが接顔パッドのレンズフレーム内に設置され、リムがレンズの周囲に嵌合され、レンズが正面レンズと側部レンズで組成された広視野の潜水用ゴーグルにおいて、
正面レンズと側部レンズの結合辺に一層の弾性と厚さを具えた媒介物が塗布され、フレーム側辺に嵌め溝が設けられ、該嵌め溝に側部レンズの一端が嵌め込まれ、正面レンズの結合辺と側部レンズの結合辺が当接させられ、リムが正面レンズと側部レンズを包囲し、正面レンズが側部レンズを圧迫し、並びに圧着により密着止水状態を形成することを特徴とする、広視野の潜水用ゴーグルとしている。
請求項２の考案は、請求項１記載の広視野の潜水用ゴーグルにおいて、リムが正面リムと側部リムが嵌挿されてなり、正面リムと側部リムに設けられた係止ブロックがフレームの係止溝内に位置決めされ、側部リムが側部レンズの一端を保持することを特徴とする、広視野の潜水用ゴーグルとしている。
請求項３の考案は、請求項１記載の広視野の潜水用ゴーグルにおいて、正面レンズと側部レンズの結合辺に単辺の方式で媒介物が塗布されたことを特徴とする、広視野の潜水用ゴーグルとしている。
請求項４の考案は、請求項１記載の広視野の潜水用ゴーグルにおいて、正面レンズと側部レンズの結合辺に両辺の方式で媒介物が塗布されたことを特徴とする、広視野の潜水用ゴーグルとしている。
請求項５の考案は、請求項１記載の広視野の潜水用ゴーグルにおいて、正面レンズと側部レンズの結合辺に貼り合わせの方式で媒介物が結合されたことを特徴とする、広視野の潜水用ゴーグルとしている。
請求項６の考案は、請求項１記載の広視野の潜水用ゴーグルにおいて、フレームの嵌め溝が一体成形により形成されたことを特徴とする、広視野の潜水用ゴーグルとしている。
請求項７の考案は、請求項１記載の広視野の潜水用ゴーグルにおいて、フレームの嵌め溝が組み付け方式で設置されたことを特徴とする、広視野の潜水用ゴーグルとしている。
請求項８の考案は、請求項１記載の広視野の潜水用ゴーグルにおいて、該潜水用ゴーグルが単一レンズの潜水用ゴーグルとされ、左右のレンズ内縁の結合辺の単辺に媒介物が塗布されたことを特徴とする、広視野の潜水用ゴーグルとしている。
請求項９の考案は、請求項１記載の広視野の潜水用ゴーグルにおいて、該潜水用ゴーグルが単一レンズの潜水用ゴーグルとされ、左右のレンズ内縁の結合辺の両辺に媒介物が塗布されたことを特徴とする、広視野の潜水用ゴーグルとしている。
【考案の効果】
【０００８】
本考案の広視野の潜水用ゴーグルは、周知の正面、側部レンズの接着する方式の、人力と時間を費やす問題を解決し、ゆえに大量生産が可能で、その実用効果は明らかである。また、本考案の構造はこれまでになく、新規性を有している。
【考案を実施するための最良の形態】
【０００９】
図１及び図２に示されるように、本考案は双眼の潜水用ゴーグルを実施例としている。それは硬質プラスチックで形成されたフレーム１、軟質シリコンゴムで形成された接顔パッド２、ガラス製の二つのレンズ３及び硬質のレンズフレーム４が組み合わされてなる。そのうち、二つのレンズ３は接顔パッド２の形成する二つのレンズ収容部２１内に設置され、二つのリム４がそれぞれレンズ３に嵌合され、各一組のレンズ３は正面レンズ３１と側部レンズ３２で組成されている。
【００１０】
正面レンズ３１と側部レンズ３２の結合辺３１１、３２１は単辺或いは両辺に一層の弾性と厚さを有する媒介物が塗布或いは貼り合わされ（接着剤による接合の方式が省略されている）、フレーム１にあってレンズ収容部２１の側辺に嵌め溝１１が形成され、該嵌め溝１１は一体成形により形成されるか或いは組み付けられ、側部レンズ３２の一端が嵌め止めされ、正面レンズ３１の結合辺３１１と側部レンズ３２の結合辺３２１が当接され、リム４が正面、側部レンズ３１、３２を包囲する時、正面レンズ３１が側部レンズ３２を圧迫して圧着により密着止水の構造を形成し、これにより双眼の潜水用ゴーグルが形成されている。
【００１１】
図３、４、５に示されるように、本考案の正面レンズ３１と側部レンズ３２の結合辺３１１、３２１は両辺に媒介物Ａが塗布されるか或いは単辺に媒介物Ａが塗布される。
【００１２】
図６に示される実施例では、リム４’は正面リム４１と側部リム４２が組み合わされてなり、正面、側部レンズ３１、３２がそれぞれ接顔パッド２のレンズ収容部２１内に収容される時、正面リム４１の上端の係止ブロック４１１がフレーム１上端の係止溝１２内に係止され、側部リム４２の上、下端の係止ブロック４２１がそれぞれフレーム１の上、下端の係止溝１３内に位置決めされ、ゆえに側部リム４２が側部レンズ３２の一端を安定して挟持する。
【００１３】
本考案の正面、側部レンズ３１、３２は未接着であり、分離可能であるため、レンズの破裂、磨損時の交換或いは近視レンズへの交換時に、専門家でなくとも誰でも簡単、快速にレンズ交換が行なえる。また分離した正面、側部レンズ３１、３２は運搬時に重ねて包装することができ、体積を減らせ、包装、運搬に便利であり、運搬過程で手を傷つけない。
【００１４】
本考案はまた単一レンズの潜水用ゴーグルに適用可能で、図７、８に示されるように、単一レンズを左右の近視度数の違いにより異なる度数のレンズを配置するため、単一レンズ５を左、右レンズ５１、５２に分割し、該左、右レンズ５１、５２の内縁の結合辺５１１、５２１を単辺或いは両辺に一層の弾性と厚さを有する媒介物Ｂを塗布或いは貼り合わせる。
【図面の簡単な説明】
【００１５】
【図１】本考案の外観図である。
【図２】本考案の部分分解図である。
【図３】本考案の正面、側部レンズの両辺に媒介物を塗布した結合表示図である。
【図４】本考案の正面、側部レンズの単辺に媒介物を塗布した結合表示図である。
【図５】本考案の正面、側部レンズの単辺に媒介物を塗布した結合表示図である。
【図６】本考案の実施例の分解図である。
【図７】本考案の単一レンズの実施例の外観図である。
【図８】本考案の単一レンズの実施例の分解図である。
【符号の説明】
【００１６】
１  フレーム                １１  嵌め溝                １２、１３  係止溝
２  接顔パッド          ２１  レンズ収容部          ３  レンズ
３１  正面レンズ            ３２  側部レンズ            ３１１、３２１  結合辺
４、４’  リム              ４１  正面リム              ４２  側部リム
４１１、４２１  係止ブロック  ５  単一レンズ            ５１  左レンズ
５２  右レンズ              ５１１、５２１  結合辺      Ａ、Ｂ  媒介物
【図１】
0003104269.tif 000003
【図２】
0003104269.tif 000004
【図３】
0003104269.tif 000005
【図４】
0003104269.tif 000006
【図５】
0003104269.tif 000007
【図６】
0003104269.tif 000008
【図７】
0003104269.tif 000009
【図８】
0003104269.tif 000010